(57)【要約】プラズマディスプレイパネルにおいて、画素に属する電極を制御する方法。その方法は、第１電極を含む維持放電の間、第１電圧を、画素に属する第１電極に供給し、第２電圧を画素に属する第２電極に供給することを含む。第１電圧および第２電圧は、維持放電が、第２電極に拡大することを促進する関係を有する。
2007538291.tif 000002
【特許請求の範囲】
【請求項１】
画素内の放電を制御する方法であって、
前記画素に関して配置され、前記画素において第１領域および第２領域を、前記第１領域が前記第２領域よりも大きくなるように規定する電極トポロジーを与え、
前記放電を、前記第１および第２領域内で生じるように、選択的に引き起こすことにより、前記放電を制御することを特徴とする、方法。
【請求項２】
さらに、前記電圧の大きさおよび／または継続期間の少なくとも１つを調整することにより、前記放電を制御することを特徴とする、請求項１に記載の方法。
【請求項３】
前記放電は、セットアップ放電、アドレス放電、および維持放電、で構成されるグループから選択されることを特徴とする、請求項１に記載の方法。
【請求項４】
前記第２領域は、前記第１領域の中心にあることを特徴とする、請求項１に記載の方法。
【請求項５】
第１サブフィールドの第１維持期間は前記第２領域を放電し、
第２サブフィールドの第２維持期間は前記第１領域を放電することを特徴とする、請求項１に記載の方法。
【請求項６】
前記制御するステップは、前記画素の輝度を制御することを特徴とする、請求項１に記載の方法。
【請求項７】
さらに、
第１電圧波形を、前記電極トポロジーの第１電極に供給し、
第２電圧波形を、前記電極トポロジーの第２電極に供給し、
第３電圧波形を、前記電極トポロジーの第３電極に供給し、
前記第１電圧波形、前記第２電圧波形、および前記第３電圧波形は、維持期間の間、維持放電が、第１電極から第２電極、第３電極へと拡大することを促進する関係を有することを特徴とする、請求項１に記載の方法。
【請求項８】
前記第２電圧波形は、前記維持期間における少なくとも１つの維持サイクルの間、前記第１波形の大きさよりも大きく、前記第３波形の大きさよりも小さい大きさを有することを特徴とする、請求項７に記載の方法。
【請求項９】
前記第１、第２、および第３電極は、維持および走査で構成されるグループから選択されることを特徴とする、請求項７に記載の方法。
【請求項１０】
前記第１、第２、および第３電極は、（ａ）内部維持電極、中間維持電極、および外部維持電極と、（ｂ）内部走査電極、中間走査電極、および外部走査電極と、で構成されるグループから選択されることを特徴とする、請求項７に記載の方法。
【請求項１１】
前記第２および第３波形は、セットアップ期間およびアドレス期間の間、実質的に同一であることを特徴とする、請求項７に記載の方法。
【請求項１２】
前記第１、第２、および第３電圧波形は、互いに独立に供給されることを特徴とする、請求項７に記載の方法。
【請求項１３】
前記維持放電は、前記第１電極を必要とすることを特徴とする、請求項７に記載の方法。
【請求項１４】
さらに、
第１電圧波形を、前記電極トポロジーの外部維持電極に供給し、
第２電圧波形を、前記電極トポロジーの中間維持電極に供給し、
第３電圧波形を、前記電極トポロジーの内部維持電極に供給し、
第４電圧波形を、前記電極トポロジーの内部走査電極に供給し、
第５電圧波形を、前記電極トポロジーの中間走査電極に供給し、
第６電圧波形を、前記電極トポロジーの外部走査電極に供給し、
前記第１、第２、第３、第４、第５、および第６電圧波形は、
（ｉ）前記内部維持電極および前記内部走査電極を含むアドレス放電が、前記中間および外部維持電極と、前記中間および外部走査電極と、に拡大することを抑制し、
（ｉｉ）前記内部維持電極および前記内部走査電極を含む維持放電が、前記中間および外部維持電極と、前記中間および外部走査電極と、に拡大することを可能にする、関係を有することを特徴とする、請求項１に記載の方法。
【請求項１５】
前記第２および第３波形は、セットアップ期間およびアドレス期間の間、実質的に同一であることを特徴とする、請求項１４に記載の方法。
【請求項１６】
前記放電は、前記第１領域に拡大することを抑制される、ことを特徴とする、請求項３に記載の方法。
【請求項１７】
画素と、
前記画素に関して配置され、前記画素において第１領域および第２領域を、前記第１領域が前記第２領域よりも大きくなるように規定する電極トポロジーと、
前記電極トポロジーに電圧を供給し、前記画素の放電を、前記第１および第２領域内で生じるように、選択的に引き起こすことにより、前記放電を制御する制御部と、を有することを特徴とする、プラズマディスプレイパネル。
【請求項１８】
前記制御部は、さらに、前記電圧の大きさおよび／または継続期間の少なくとも１つを調整することにより、前記放電を制御することを特徴とする、請求項１７に記載のディスプレイパネル。
【請求項１９】
前記第２領域は、前記第１領域の中心にあることを特徴とする、請求項１７に記載のプラズマディスプレイパネル。
【請求項２０】
前記電極トポロジーは、少なくとも４つの電極を含み、そのうち２つは前記第２領域を規定し、そのうち全部は前記第１領域を規定することを特徴とする、請求項１７に記載のプラズマディスプレイパネル。
【請求項２１】
前記放電は、セットアップ放電、アドレス放電、および維持放電、で構成されるグループから選択されることを特徴とする、請求項１７に記載のプラズマディスプレイパネル。
【請求項２２】
前記電圧は前記放電を調整することにより、前記画素の輝度を制御することを特徴とする、請求項１７に記載のプラズマディスプレイパネル。
【請求項２３】
第１サブフィールドの第１維持期間において、前記放電は前記第２領域内に生じ、第２サブフィールドの第２維持期間において、前記放電は前記第１領域内に生じることを特徴とする、請求項２２に記載のプラズマディスプレイパネル。
【請求項２４】
を
前記電極トポロジーは、２つよりも多い電極を含む、少なくとも１つの分割電極群を含むことを特徴とする、請求項１７に記載のプラズマディスプレイパネル。
【請求項２５】
前記画素の前記放電は、前記第２領域に制限されることを特徴とする、請求項１７に記載のプラズマディスプレイパネル。
【請求項２６】
前記電極トポロジーは、さらに、前記画素において、前記第１領域内にある第３領域を規定し、
前記第２領域は、前記第３領域内にあり、
前記電圧は、維持期間の間、放電を開始し、前記第３領域に広げるとともに、前記第１領域には広げないことにより、前記画素において前記第２および第３領域への光出力を制限することを特徴とする、請求項１７に記載のプラズマディスプレイパネル。
【請求項２７】
前記電極トポロジーは、外部維持電極、中間維持電極、内部維持電極、内部走査電極、中間走査電極、および外部走査電極を含むことを特徴とする、請求項１７に記載のプラズマディスプレイパネル。
【請求項２８】
前記制御部は、第１、第２、第３、第４、第５、および第６電圧を、前記外部維持、前記中間維持、前記内部維持、前記内部走査、前記中間走査、および前記外部走査電極に、それぞれ供給し、
前記第５電圧の大きさは、前記維持期間における第１サイクルの間、前記第４電圧の大きさおよび前記第６電圧の大きさよりも大きく、
前記第１、第２、および第３電圧は、それぞれ、前記第４および第６電圧の前記大きさよりも小さい大きさを有することを特徴とする、請求項２７に記載のプラズマディスプレイパネル。
【請求項２９】
前記第２電圧の大きさは、前記維持期間における第２サイクルの間、前記第１電圧の大きさおよび前記第３電圧の大きさよりも大きく、
前記第４、第５、および第６電圧は、それぞれ、前記第１および第３電圧の前記大きさよりも小さい大きさを有することを特徴とする、請求項２８に記載のプラズマディスプレイパネル。
【請求項３０】
前記電極トポロジーは、前記画素においてプラズマガスの放電を制御するように配置される第１電極、第２電極、および第３電極を含み、
前記制御部は、第１電圧波形、第２電圧波形、および第３電圧波形を、前記第１、第２、および第３電極に、それぞれ供給し、
前記第１、第２、および第３電圧波形は、維持期間の間、維持放電が、前記第１電極から前記第２および第３電極に拡大することを促進する関係を有することを特徴とする、請求項１７に記載のプラズマディスプレイパネル。
【請求項３１】
前記第２電圧波形は、前記維持期間における少なくとも１つの維持サイクルの間、前記第１波形の大きさよりも大きく、前記第３波形の大きさよりも小さい大きさを有することを特徴とする、請求項３０に記載のプラズマディスプレイパネル。
【請求項３２】
前記第１、第２、および第３電極は、維持および走査で構成されるグループから選択されることを特徴とする、請求項３０に記載のプラズマディスプレイパネル。
【請求項３３】
前記第１、第２、および第３電極は、（ａ）内部維持電極、中間維持電極、および外部維持電極と、（ｂ）内部走査電極、中間走査電極、および外部走査電極と、で構成されるグループから選択されることを特徴とする、請求項３０に記載のプラズマディスプレイパネル。
【請求項３４】
前記第２および第３波形は、セットアップ期間およびアドレス期間の間、実質的に同一であることを特徴とする、請求項３０に記載のプラズマディスプレイパネル。
【請求項３５】
前記第１電極は前記第２電極よりも狭く、前記第２電極は前記第３電極よりも狭いことを特徴とする、請求項３０に記載のプラズマディスプレイパネル。
【請求項３６】
前記第１、第２、および第３波形は、互いに独立に供給されることを特徴とする、請求項３０に記載のプラズマディスプレイパネル。
【請求項３７】
前記第３電極は、環として構成され、隣接する画素に対して、電極としてさらに機能することを特徴とする、請求項３０に記載のプラズマディスプレイパネル。
【請求項３８】
前記第２電極は、前記第１および第３電極の間に位置することを特徴とする、請求項３０に記載のプラズマディスプレイパネル。
【請求項３９】
前記第１および第２電極の少なくとも１つは、開口部付き電極であることを特徴とする、請求項３０に記載のプラズマディスプレイパネル。
【請求項４０】
前記第１、第２、および第３電極の少なくとも１つは、導電性で透明な領域を含むことを特徴とする、請求項３０に記載のプラズマディスプレイパネル。
【請求項４１】
前記電極トポロジーは、前記画素においてプラズマガスの放電を制御するように配置され、内部走査電極、中間走査電極、外部走査電極、内部維持電極、中間維持電極、および外部維持電極を含む複数の電極を含み、
前記制御部は、第１電圧波形、第２電圧波形、第３電圧波形、第４電圧波形、第５電圧波形、および第６電圧波形を、前記内部走査電極、前記中間走査電極、前記外部走査電極、前記内部維持電極、前記中間維持電極、および前記外部維持電極に、それぞれ供給し、
前記第１、第２、第３、第４、第５、および第６電圧波形は、（ｉ）前記内部維持電極および前記内部走査電極を含むアドレス放電が、前記中間および外部維持電極と、前記中間および外部走査電極と、に拡大することを抑制し、（ｉｉ）前記内部維持電極および前記内部走査電極を含む維持放電が、前記中間および外部維持電極と、前記中間および外部走査電極と、に拡大することを可能にする、関係を有することを特徴とする、請求項１７に記載のプラズマディスプレイパネル。
【請求項４２】
前記内部走査電極および前記内部維持電極は、第１ギャップにより分離され、
前記内部維持電極および前記中間維持電極は、第２ギャップにより分離され、
前記内部走査電極および前記中間走査電極は、第３ギャップにより分離され、
前記第１ギャップは、前記第２ギャップまたは前記第３ギャップの前記いずれか一方よりも小さいことを特徴とする、請求項４１に記載のプラズマディスプレイパネル。
【請求項４３】
前記内部維持電極は前記中間維持電極よりも狭く、前記中間維持電極は前記外部維持電極よりも狭く、
前記内部走査電極は前記中間走査電極よりも狭く、前記中間走査電極は前記外部走査電極よりも狭いことを特徴とする、請求項４１に記載のプラズマディスプレイパネル。
【請求項４４】
画素と、
前記画素におけるプラズマガス放電を制御するように配置される少なくとも第１電極および第２電極において、前記第１および第２電極で構成される少なくとも１つの分割電極と、
第１電圧を前記第１電極に、および第２電圧を前記第２電極に、互いに独立に供給する制御部と、を有することを特徴とする、プラズマディスプレイパネル。
【請求項４５】
前記第１電圧を前記第１電極に、および前記第２電圧を前記第２電極に、前記供給することは、
（ａ）前記第１電極を含む維持放電の間、実行され、
（ｂ）前記維持放電が前記第２電極に拡大することを促進する、ことを特徴とする、請求項４４に記載のプラズマディスプレイパネル。
【請求項４６】
さらに、前記第１および第２電極を含む分割電極を有することを特徴とする、請求項４４に記載のプラズマディスプレイパネル。
【請求項４７】
さらに、第３、第４、第５、および第６電極を有し、
前記第１、第２、第３、第４、第５、および第６電極は、それぞれ外部維持電極、中間維持電極、内部維持電極、内部走査電極、中間走査電極、および外部走査電極であり、
前記制御部は、電圧を、前記外部維持電極、中間維持電極、内部維持電極、内部走査電極、中間走査電極、および外部走査電極の各電極に、互いに独立に供給することを特徴とする、請求項４４に記載のプラズマディスプレイパネル。
【請求項４８】
前記内部走査電極および前記内部維持電極は、第１ギャップにより分離され、
前記内部維持電極および前記中間維持電極は、第２ギャップにより分離され、
前記内部走査電極および前記中間走査電極は、第３ギャップにより分離され、
前記第１ギャップは、前記第２ギャップまたは前記第３ギャップの前記いずれか一方よりも小さいことを特徴とする、請求項４７に記載のプラズマディスプレイパネル。
【請求項４９】
前記電圧を供給することは、
第１電圧波形を前記外部維持電極に供給し、
第２電圧波形を前記中間維持電極に供給し、
第３電圧波形を前記内部維持電極に供給し、
第４電圧波形を前記内部走査電極に供給し、
第５電圧波形を前記中間走査電極に供給し、
第６電圧波形を前記外部走査電極に供給することを含み、
前記第１、第２、第３、第４、第５、および第６電圧波形は、（ｉ）前記内部維持電極および前記内部走査電極を含むアドレス放電が、前記中間維持電極および外部維持電極と、前記中間走査電極および前記外部走査電極と、に拡大することを抑制し、（ｉｉ）前記内部維持電極および前記内部走査電極を含む維持放電が、前記中間走査電極および前記外部維持電極と、前記中間走査電極および前記外部走査電極と、に拡大することを可能にする、関係を有することを特徴とする、請求項４７に記載のプラズマディスプレイパネル。
【請求項５０】
前記内部走査電極および前記内部維持電極は、前記中間および外部走査電極と前記中間および外部維持電極よりも狭いことを特徴とする、請求項４７に記載のプラズマディスプレイパネル。
【請求項５１】
前記中間走査および中間維持電極は、前記外部走査および外部維持電極よりも狭いことを特徴とする、請求項５０に記載のプラズマディスプレイパネル。
【請求項５２】
前記内部走査および内部維持電極は、実質的に同等の幅であることを特徴とする、請求項５１に記載のプラズマディスプレイパネル。
【請求項５３】
前記中間走査および中間維持電極は、実質的に同等の幅であり、前記外部走査および維持電極は、実質的に幅であることを特徴とする、請求項５２に記載のプラズマディスプレイパネル。
【請求項５４】
第１ギャップは、前記内部走査および維持電極を分離し、
第２ギャップは、前記内部および中間走査電極を分離し、
第３ギャップは、前記内部および中間維持電極を分離し、
前記第１ギャップは、前記第２および第３ギャップよりも狭いことを特徴とする、請求項５０に記載のプラズマディスプレイパネル。
【請求項５５】
第４ギャップは、前記中間および外部走査電極を分離し、
第５ギャップは、前記中間および外部維持電極を分離し、
前記第２および第３ギャップは、前記第４および第５ギャップよりも狭いことを特徴とする、請求項５４に記載のプラズマディスプレイパネル。
【請求項５６】
前記第２および第３ギャップは、実質的に同等であり、
前記第４および第５ギャップは、実質的に同等であることを特徴とする、請求項５５に記載のプラズマディスプレイパネル。
【請求項５７】
前記外部維持電極、前記中間維持電極、前記内部維持電極、前記内部走査電極、前記中間走査電極、および前記外部走査電極のうち１つ以上は、透明電極部分を有することを特徴とする、請求項４７に記載のプラズマディスプレイパネル。
【発明の詳細な説明】
【技術分野】
【０００１】
本発明は、プラズマディスプレイパネルに関し、さらに詳しくは、放電領域を制御しアドレスを指定する電力および垂直方向の画素間クロストークを最小限に抑えるとともに、電力および輝度を制御する手段として放電領域を制御することにより、画素の維持放電を増進させる画素構成に関する。
【背景技術】
【０００２】
カラープラズマディスプレイパネル（ＰＤＰ）は、当技術分野ではよく知られている。画素に属する維持および走査電極間のガスプラズマ放電に応じて、パネル内の蛍光体により、可視光が放射される。アドレス期間において、走査電極が個々に選択されている間、維持電極は一般的に共通の電位で駆動される。電極は前面平板の内側表面上にあるから、生成された光は電極を通過しなければならない。
【０００３】
透明電極、例えば、インジウム錫酸化物（ＩＴＯ：ｉｎｄｉｕｍ  ｔｉｎ  ｏｘｉｄｅ）、が用いられる場合、光は電極を介して簡単に通過する。代案としては、透明ではないが開口部付きの電極が、電極内の開口部を介して光が通過するように工夫されている。
【０００４】
ＡＣ型カラーＰＤＰの実施の形態が、マーコット（Ｍａｒｃｏｔｔｅ）による米国特許番号６，１１８，２１４（以下、２１４特許）に開示されており、その中で、開口部付き電極が前面平板上に用いられている。さらに詳しくは、ＡＣ型ＰＤＰは、維持開口部を備え、維持バスに接続する維持電極の水平方向の複数対を含む。互いに独立する開口部付き走査電極の複数対が、共有化された維持電極の複数対と、互いにかみ合わされる。開口部付き電極は、銀またはクロム−銅−クロムのフィルム積層のように不透明な金属製電極材料を使用して、一般的に生成される。
【０００５】
コントラスト増進バーは、水平方向に隣接する画素の間の画素間ギャップに水平方向に位置し、蛍光体の光反射性を減少させる。コントラスト増進バーは不透明で、導体的または不導体的である。コントラスト増進バーに関する追加説明については、マーコットによる米国特許番号５，９９８，９３５を参照。
【０００６】
電極は、工程の間、誘電体層およびマグネシウム酸化物（ＭｇＯ）層により覆われる。背面平板は、垂直方向の隔壁および複数の垂直方向の列導体を支える。個々の列導体は、場合によっては、赤、緑、または青の蛍光体で覆われ、フルカラーディスプレイを達成可能にする。前面および背面平板は、互いに密封され、その間の空所は、放電性ガスで充填される。
【０００７】
画素は、電極の交点に位置する領域である。例えば、画素は、前面平板上にある維持電極および隣接する走査電極と、赤、緑、および青に対応する３枚の背面平板の列電極との交点で規定される。副画素、または副画素位置は、赤、緑、および青の個々の列電極と、前面平板の走査／維持電極対との交点のことである。
【０００８】
ＰＤＰ動作電圧および電力は、隣接する維持および走査電極間の間隔（以下、維持ギャップとして参照する）、開口部付き電極を形成する配線の幅、および電極の全体の幅、により制御される。維持および走査電極は、一般的に、比較的狭い維持ギャップと、比較的幅の広い画素間ギャップとを与えるように、配置される。
【０００９】
交互の維持放電が維持ギャップで形成され、垂直方向に広がる。放電は、正電荷が蓄積されたアノード電極を分岐する正電荷の列領域を形成し、負電荷の発光領域が、負電荷が蓄積されたカソード電極を横切って漂流する。開口部付き電極の場合、配線の幅および間隔は、光の通過を最大化し、放電電圧の一様性を最大化するように、バランスが取られる。例えば、配線幅を４０ないし６０ミクロンに最小化し、維持ギャップ寸法（例えば、１００ミクロン）近傍またはそれよりも小さい距離に水平方向の配線の間隔を空けることにより、このバランスは達成される。電極対の構成において、画素間ギャップの各側面の電極は同電位であり、それゆえ、画素間ギャップを十分に大きくすることにより、プラズマ放電が広がり、隣接する画素のオンまたはオフ状態が損傷することを防止する必要がある。
【００１０】
開口部付き電極の全体の幅、配線幅、配線間隔、および電極を覆う誘電性ガラス層が組み合わせられ、画素の放電容量が決定される。放電容量は、放電電力およびその結果として輝度を制御する。任意の放電電力およびその結果である各放電の輝度に対して、所定期間内の放電数が、パネル全体の輝度の要件に合致するように選ばれる。
【発明の開示】
【発明が解決しようとする課題】
【００１１】
前面平板の電極対構成は、電極間容量が減少する優位性を有する。電極間容量の減少により、各維持パルスで電極間容量を充電し、放電する電力消費が減少する。しかしながら、垂直方向のクロストークの可能性がある。このクロストークにより、画素間ギャップの両側の電極は、同電位に駆動される。垂直方向のクロストークは、ひとつの放電位置における放電が、垂直方向に隣接する放電位置、すなわち隣接する画素に対応する放電位置に広がり、隣接する画素のオンまたはオフ状態に影響する場合に、生じる。２１４特許は、比較的広い画素間ギャップを利用し、垂直方向の画素対画素の分離増大を促進する。背面平板の隔壁が水平方向の画素分離を与えるが、垂直方向の分離を与えないことに、留意する必要がある。
【００１２】
垂直方向のクロストークは、アドレス期間の間、各行が順次アドレス指定され、所望の副画素をオン状態に設定する場合に、生じる確率がもっとも大きい。アドレス放電において、選択された走査電極とデータ電極の間でプラズマ放電が形成され、放電の正電荷の列が、背面平板のデータ電極に沿って維持電極に広がる。隣接する電極が同電位であれば、正電荷の列は画素間ギャップを横切り、隣接する副画素の維持電極上の電荷を激減させることが可能である。コントラスト増進バーの存在は、このアドレスクロストークメカニズムにまったく影響を与えないことが示されていた。
【課題を解決するための手段】
【００１３】
本発明は、プラズマディスプレイパネルに対する方法および画素構成を与える。画素に属する電極を制御することにより、画素の動作が増進し、電力および輝度を制御する方法が与えられる。
【００１４】
本発明の方法の実施の形態は、画素に関して配置され、画素において第１領域および第２領域を、第１領域が前記第２領域よりも大きくなるように規定する電極トポロジーを与えることにより、画素内の放電を制御する。放電の輝度は、放電を、第１および第２領域内で生じるように、選択的に引き起こすことにより、制御される。
【００１５】
本発明の方法の別の実施の形態は、さらに、電圧の大きさおよび／または継続期間の少なくとも１つを調整することにより、輝度を制御する。
【００１６】
方法の別の実施の形態では、第２領域は、画素の第１領域の中心にある。
【００１７】
方法の別の実施の形態では、放電は、セットアップ期間、アドレス期間、または維持期間において生じる。
【００１８】
方法の別の実施の形態では、制御するステップは、画素の輝度を制御する。
【００１９】
方法の別の実施の形態では、第１サブフィールドの第１維持期間は第２領域を放電し、第２サブフィールドの第２維持期間は第１領域を放電する。
【００２０】
本発明の方法の別の実施の形態では、第１電圧波形は、画素に属する第１電極に供給され、第２電圧波形は、画素に属する第２電極に供給され、第３電圧波形は、画素に属する第３電極に供給される。第１電圧波形、第２電圧波形、および第３電圧波形は、維持期間の間、維持放電が、第１電極から第２電極および第３電極に拡大することを促進する関係を有する。
【００２１】
方法の別の実施の形態では、第２電圧波形は、維持期間における少なくとも１つの維持サイクルの間、第１波形の大きさよりも大きく、第３波形の大きさよりも小さい大きさを有する。
【００２２】
方法の別の実施の形態では、第１、第２、および第３電極は、維持および走査で構成されるグループから選択される。さらに具体的な実施の形態では、第１、第２、および第３電極は、（ａ）内部維持電極、中間維持電極、および外部維持電極と、（ｂ）内部走査電極、中間走査電極、および外部走査電極と、で構成されるグループから選択される。
【００２３】
方法の別の実施の形態では、第２および第３波形は、セットアップ期間およびアドレス期間の間、実質的に同一である。
【００２４】
方法の別の実施の形態では、第１、第２、および第３電圧波形は、互いに独立に供給される。
【００２５】
方法の別の実施の形態では、第１電極は前記第２電極よりも狭く、第２電極は第３電極よりも狭い。
【００２６】
方法の別の実施の形態では、維持放電は、第１電極を必要とする。
【００２７】
本発明の方法の別の実施の形態では、第１電圧波形を、画素に属する外部維持電極に供給し、第２電圧波形を、画素に属する中間維持電極に供給し、第３電圧波形を、画素に属する内部維持電極に供給し、第４電圧波形を、画素に属する内部走査電極に供給し、第５電圧波形を、画素に属する中間走査電極に供給し、第６電圧波形を、画素に属する外部走査電極に供給するステップが、さらに与えられる。第１、第２、第３、第４、第５、および第６電圧波形は、（ｉ）内部維持電極および内部走査電極を含むアドレス放電が、中間および外部維持電極と、中間および外部走査電極と、に拡大することを抑制し、（ｉｉ）内部維持電極および内部走査電極を含む維持放電が、中間および外部維持電極と、中間および外部走査電極と、に拡大することを可能にする、関係を有する。
【００２８】
方法の別の実施の形態では、放電は、第１領域に拡大することを抑制される。
【００２９】
本発明のプラズマディスプレイパネルの実施の形態は、画素と、画素に関して配置され、画素において第１領域および第２領域を、第１領域が第２領域よりも大きくなるように規定する電極トポロジーと、を含む。制御部は、電極トポロジーに電圧を供給し、画素の放電を、第１および第２領域内で生じるように、選択的に引き起こすことにより、放電の輝度を制御する。
【００３０】
本発明のプラズマディスプレイパネルの別の実施の形態では、第２領域は、第１領域の中心にある。
【００３１】
プラズマディスプレイパネルの別の実施の形態では、電極トポロジーは、少なくとも４つの電極を含み、そのうち２つは第２領域を規定し、そのうち全部は第１領域を規定する。
【００３２】
プラズマディスプレイパネルの別の実施の形態では、放電は、セットアップ期間、アドレス期間、または維持期間において生じる。
【００３３】
プラズマディスプレイパネルの別の実施の形態では、電圧は放電を調整することにより、画素の輝度を制御する。
【００３４】
プラズマディスプレイパネルの別の実施の形態では、第１サブフィールドの第１維持期間において、放電は第２領域内に生じ、第２サブフィールドの第２維持期間において、放電は第１領域内に生じる。
【００３５】
プラズマディスプレイパネルの別の実施の形態では、電極トポロジーは、２つよりも多い電極を含む、少なくとも１つの分割電極群を含む。
【００３６】
プラズマディスプレイパネルの別の実施の形態では、画素の放電は、第２領域に制限される。
【００３７】
プラズマディスプレイパネルの別の実施の形態では、電極トポロジーは、さらに、画素において、第１領域内にある第３領域を規定し、第２領域は第３領域内にあり、電圧は、維持期間の間、放電を開始し、第３領域に広げるとともに、第１領域には広げないことにより、画素の第２および第３領域への光出力を制限する。
【００３８】
プラズマディスプレイパネルの別の実施の形態では、電極トポロジーは、外部維持電極、中間維持電極、内部維持電極、内部走査電極、中間走査電極、および外部走査電極を含む。
【００３９】
プラズマディスプレイパネルの別の実施の形態では、制御部は、第１、第２、第３、第４、第５、および第６電圧を、外部維持、中間維持、内部維持、内部走査、中間走査、および外部走査電極に、それぞれ供給する。第５電圧の大きさは、維持期間における第１サイクルの間、第４電圧の大きさおよび第６電圧の大きさよりも大きい。第１、第２、および第３電圧は、それぞれ、第４および第６電圧の大きさよりも小さい大きさを有する。
【００４０】
プラズマディスプレイパネルの別の実施の形態では、第２電圧の大きさは、維持期間における第２サイクルの間、第１電圧の大きさおよび第３電圧の大きさよりも大きく、第４、第５、および第６電圧は、それぞれ、第１および第３電圧の大きさよりも小さい大きさを有する。
【００４１】
プラズマディスプレイパネルの別の実施の形態では、電極トポロジーは、画素においてプラズマガスの放電を制御するように配置される第１電極、第２電極、および第３電極を含む。制御部は、第１電圧波形、第２電圧波形、および第３電圧波形を、第１、第２、および第３電極に、それぞれ供給する。第１、第２、および第３電圧波形は、維持期間の間、維持放電が、第１電極から第２および第３電極に拡大することを促進する関係を有する。
【００４２】
プラズマディスプレイパネルの別の実施の形態では、第２電圧波形は、維持期間における少なくとも１つの維持サイクルの間、第１波形の大きさよりも大きく、第３波形の大きさよりも小さい大きさを有する。
【００４３】
プラズマディスプレイパネルの別の実施の形態では、第１、第２、および第３電極は、維持および走査で構成されるグループから選択される。
【００４４】
プラズマディスプレイパネルの別の実施の形態では、第１、第２、および第３電極は、（ａ）内部維持電極、中間維持電極、および外部維持電極と、（ｂ）内部走査電極、中間走査電極、および外部走査電極と、で構成されるグループから選択される。
【００４５】
プラズマディスプレイパネルの別の実施の形態では、第２および第３波形は、セットアップ期間およびアドレス期間の間、実質的に同一である。
【００４６】
プラズマディスプレイパネルの別の実施の形態では、第１電極は第２電極よりも狭く、第２電極は前記第３電極よりも狭い。
【００４７】
プラズマディスプレイパネルの別の実施の形態では、第１、第２、および第３波形は、互いに独立に供給される。
【００４８】
プラズマディスプレイパネルの別の実施の形態では、第３電極は、環として構成され、隣接する画素に対して、電極としてさらに機能する。
【００４９】
プラズマディスプレイパネルの別の実施の形態では、第２電極は、第１および第３電極の間に位置する。
【００５０】
プラズマディスプレイパネルの別の実施の形態では、第１および第２電極の少なくとも１つは、開口部付き電極である。
【００５１】
プラズマディスプレイパネルの別の実施の形態では、第１、第２、および第３電極の少なくとも１つは、導電性で透明な領域を含む。
【００５２】
プラズマディスプレイパネルの別の実施の形態では、電極トポロジーは、画素においてプラズマガスの放電を制御するように配置され、内部走査電極、中間走査電極、外部走査電極、内部維持電極、中間維持電極、および外部維持電極を含む複数の電極を含み、制御部は、第１電圧波形、第２電圧波形、第３電圧波形、第４電圧波形、第５電圧波形、および第６電圧波形を、内部走査電極、中間走査電極、外部走査電極、内部維持電極、中間維持電極、および外部維持電極に、それぞれ供給する。第１、第２、第３、第４、第５、および第６電圧波形は、（ｉ）内部維持電極および内部走査電極を含むアドレス放電が、中間および外部維持電極と、中間および外部走査電極と、に拡大することを抑制し、（ｉｉ）内部維持電極および内部走査電極を含む維持放電が、中間および外部維持電極と、中間および外部走査電極と、に拡大することを可能にする、関係を有する。
【００５３】
プラズマディスプレイパネルの別の実施の形態では、内部走査電極および内部維持電極は、第１ギャップにより分離され、内部維持電極および中間維持電極は、第２ギャップにより分離される。内部走査電極および中間走査電極は、第３ギャップにより分離される。第１ギャップは、第２ギャップまたは第３ギャップのいずれか一方よりも小さい。
【００５４】
プラズマディスプレイパネルの別の実施の形態では、内部維持電極は中間維持電極よりも狭く、中間維持電極は外部維持電極よりも狭い。内部走査電極は中間走査電極よりも狭く、中間走査電極は外部走査電極よりも狭い。
【００５５】
プラズマディスプレイパネルの別の実施の形態では、画素と、画素におけるプラズマガス放電を制御するように配置される少なくとも第１電極および第２電極において、第１および第２電極で構成される少なくとも１つの分割電極と、が与えられる。制御部は、第１電圧を第１電極に、および第２電圧を第２電極に、互いに独立に供給する。
【００５６】
プラズマディスプレイパネルの別の実施の形態では、第１電圧を第１電極に、および第２電圧を第２電極に、供給することは、（ａ）第１電極を含む維持放電の間、実行され、（ｂ）維持放電が第２電極に拡大することを促進することである。
【００５７】
プラズマディスプレイパネルの別の実施の形態では、さらに、第１および第２電極を含む分割電極が与えられる。
【００５８】
プラズマディスプレイパネルの別の実施の形態では、さらに、第３、第４、第５、および第６電極が与えられる。第１、第２、第３、第４、第５、および第６電極は、それぞれ外部維持電極、中間維持電極、内部維持電極、内部走査電極、中間走査電極、および外部走査電極である。制御部は、電圧を、外部維持電極、中間維持電極、内部維持電極、内部走査電極、中間走査電極、および外部走査電極の各電極に、互いに独立に供給する。
【００５９】
プラズマディスプレイパネルの別の実施の形態では、内部走査電極および内部維持電極は、第１ギャップにより分離される。内部維持電極および中間維持電極は、第２ギャップにより分離される。内部走査電極および中間走査電極は、第３ギャップにより分離される。第１ギャップは、第２ギャップまたは第３ギャップのいずれか一方よりも小さい。
【００６０】
プラズマディスプレイパネルの別の実施の形態では、電圧を供給することは、第１電圧波形を外部維持電極に供給し、第２電圧波形を中間維持電極に供給し、第３電圧波形を内部維持電極に供給し、第４電圧波形を内部走査電極に供給し、第５電圧波形を中間走査電極に供給し、第６電圧波形を外部走査電極に供給することを含む。第１、第２、第３、第４、第５、および第６電圧波形は、（ｉ）内部維持電極および内部走査電極を含むアドレス放電が、中間維持電極および外部維持電極と、中間走査電極および外部走査電極と、に拡大することを抑制し、（ｉｉ）内部維持電極および内部走査電極を含む維持放電が、中間走査電極および外部維持電極と、中間走査電極および外部走査電極と、に拡大することを可能にする、関係を有する。
【００６１】
プラズマディスプレイパネルの別の実施の形態では、内部走査電極および内部維持電極は、中間および外部走査電極と中間および外部維持電極よりも狭い。
【００６２】
プラズマディスプレイパネルの別の実施の形態では、中間走査および中間維持電極は、外部走査および外部維持電極よりも狭い。
【００６３】
プラズマディスプレイパネルの別の実施の形態では、内部走査および内部維持電極は、実質的に同等の幅である。
【００６４】
プラズマディスプレイパネルの別の実施の形態では、中間走査および中間維持電極は、実質的に同等の幅であり、外部走査および維持電極は、実質的に幅である。
【００６５】
プラズマディスプレイパネルの別の実施の形態では、第１ギャップは、内部走査および維持電極を分離し、第２ギャップは、内部および中間走査電極を分離し、第３ギャップは、内部および中間維持電極を分離する。第１ギャップは、第２および第３ギャップよりも狭い。
【００６６】
プラズマディスプレイパネルの別の実施の形態では、第４ギャップは、中間および外部走査電極を分離し、第５ギャップは、中間および外部維持電極を分離する。第２および第３ギャップは、第４および第５ギャップよりも狭い。
【００６７】
プラズマディスプレイパネルの別の実施の形態では、第２および第３ギャップは、実質的に同等であり、第４および第５ギャップは、実質的に同等である。
【００６８】
プラズマディスプレイパネルの別の実施の形態では、外部維持電極、中間維持電極、内部維持電極、内部走査電極、中間走査電極、および外部走査電極のうち１つ以上は、透明電極部分を有する。
【発明を実施するための最良の形態】
【００６９】
画素間ギャップのサイズの最小化を考慮して、垂直方向の画素間クロストークを除去しまたは抑圧するにより、画素サイズは最大化され、それゆえ輝度は増大する。
【００７０】
図１は、ＰＤＰ１００の一部分の説明図であり、さらに詳しくは第１電極１１５、第２電極１２０、およびデータ電極１１０の交点に位置する画素１０５の一部分の説明図である。制御部１３０は、電圧を第１電極１１５および第２電極１２０に供給し、第１電極１１５および第２電極１２０を互いに独立に制御する。第１電圧および第２電圧は、第１電極１１５を含む放電が、第２電極１２０に拡大するかどうかに影響を与える。第１電極１１５および第２電極１２０は、分割電極として動作する。
【００７１】
アドレス期間の間、アドレス放電は、データ電極１１０および第１電極１１５間で開始される。アドレス放電の間、制御部１３０は、第１電圧を第１電極１１５に供給し、第２電圧を第２電極１２０に供給する。第１電圧および第２電圧は、アドレス放電が、第２電極１２０に拡大することを抑制する関係を有する。
【００７２】
第２電極１２０は、画素１０５の外周にあり、それゆえ、第１電極１１５は内部電極とみなされ、第２電極１２０は外部電極とみなされる。第１電極１１５は内部走査電極として機能するのに対して、第２電極１２０は外部走査電極として機能し、このような構成は、分割走査電極とみなされる。同様に、第１電極１１５は内部維持電極として機能するのに対して、第２電極１２０は外部維持電極として機能し、同様にこのような構成は、分割維持電極とみなされる。
【００７３】
画素１２５は、画素１０５に垂直方向に隣接する。アドレス放電は第２電極１２０に拡大することを抑制されるので、画素１２５に拡大することも、同様に抑制される。これにより、画素１０５から画素１２５へのクロストークは抑制される。
【００７４】
画素は、個々にアドレス指定可能な画像素子である。副画素という用語は、ここでは個々にアドレス指定可能な赤、緑、または青の画素を意味するのに使用される。副画素は個々にアドレス指定可能であるから、副画素もまた画素の一形態である。このように、「画素」という用語は、一般に、（ａ）個々のカラーを表す１つの副画素、または（ｂ）１つの赤副画素、１つの緑副画素、および１つの青副画素で構成される１つのグループ、のうち、どちらでも意味することができる。
【００７５】
制御部１３０は、第１電極１１５を含む維持放電の間、電圧を第１電極１１５に供給し、電圧を第２電極１２０に供給することにより、維持放電が第２電極１２０に拡大することを促進する。
【００７６】
図１には表されないが、第１電極１１５および第２電極１２０は、１つの分割電極対に属する２つの電極である。さらにその上、画素１０５は、２つの分割電極対、すなわち、分割維持電極および分割走査電極を有するように構成される。分割維持電極は、外部維持電極および内部維持電極で構成される。分割走査電極は、内部走査電極および外部走査電極で構成される。
【００７７】
交互の維持放電において、電圧は、内部走査電極または内部維持電極に供給され、他方、別の電圧が、それぞれ外部走査電極または外部維持電極に供給される。外部走査電極または外部維持電極に供給される電圧が、外部走査電極または外部維持電極を効果的に放電するために最小限必要な電圧よりも増大すると、放電電力が増加するにつれて、輝度はさらに増大する。
【００７８】
図２は、分割電極で構成されるＰＤＰ２００の一部分の説明図である。さらに、以下に説明するように、ＰＤＰ２００のいくつかの電極は、さらに環状電極として構成される。環状電極は、画素間ギャップにより分離される２つの隣接する画素、の放電位置を提供する。環状電極に関する追加情報については、マーコットによる米国特許５，８５２，３４７を参照。さらに、絶縁されたまたは非伝導性のコントラスト増進バーが、環状電極内に配置され、光反射性を減少させる。
【００７９】
ＰＤＰ２００は、外部維持電極端子２８９および２７３と、内部維持電極端子２７９、内部走査電極端子２３０および２４５と、外部走査電極端子２４０とを含む。外部維持電極端子２８９は、外部維持電極２２０に接続される。内部維持電極端子２７９は、内部維持電極２２５および２５０に接続される。内部走査電極端子２３０は、内部走査電極２８３に接続される。外部走査電極端子２４０は、外部走査電極２８０に接続される。内部走査電極端子２４５は、内部走査電極２７６に接続される。外部維持電極端子２７３は、外部維持電極２５５に接続される。
【００８０】
外部維持電極２２０は、上側部分２２０Ｕおよび下側部分２２０Ｌを有する環状電極として構成される。上側部分２２０Ｕは、副画素２９６を提供し、下側部分２２０Ｌは、副画素２９２を提供する。外部維持電極２２０は、上側部分２２０Ｕおよび下側部分２２０Ｌの間に内部領域を有し、この内部領域は、副画素２９６および２９２間の画素間ギャップ２９４を与える。
【００８１】
外部走査電極２８０は、上側部分２８０Ｕおよび下側部分２８０Ｌを有する環状電極として構成される。上側部分２８０Ｕは副画素２９２を提供し、下側部分２８０Ｌは副画素２７０を提供する。外部走査電極２８０は、上側部分２８０Ｕおよび下側部分２８０Ｌの間に内部領域を有し、この内部領域は、副画素２９２および２７０間の画素間ギャップ２７７を与える。
【００８２】
外部維持電極２５５は、上側部分２５５Ｕおよび下側部分２５５Ｌを有する環状電極として構成される。上側部分２５５Ｕは副画素２７０を提供し、下側部分２５５Ｌは隣接する副画素（図示されず）を提供する。
【００８３】
ＰＤＰ２００は、垂直方向の隔壁２６０と、赤、緑、または青の蛍光体でそれぞれ覆われたデータ電極２１０Ｒ、２１０Ｇ、および２１０Ｂと、を有する背面平板２０５を含む。隔壁２６０は、前面平板（図２には示されず）および背面平板２０５間の基板ギャップを支持し、さらに、データ電極２１０Ｒ、２１０Ｇ、および２１０Ｂを互いに分離する。
【００８４】
背面平板２０５は、水平方向の画素分離板（示されず）有りまたは無し、のいずれかで組み立てられる。水平方向の画素分離板は、前面平板の画素間ギャップ２９４および２７７内の中心に整列され、垂直方向に隣接する画素位置間の放電クロストークを防止する。輝度をさらに増すために外部走査または維持電極電圧を増大するにつれて、このような分離板は有利になってくる。
【００８５】
副画素２９２は、データ電極２１０Ｒ、外部維持電極下側部分２２０Ｌ、内部維持電極２２５、内部走査電極２８３、および外部走査電極上側部分２８０Ｕの交点に位置する。副画素２９２は、任意に行Ｎと呼ばれる行内にある。副画素２９２は、内部維持電極２２５および内部走査電極２８３間の維持ギャップ２８６を含む。副画素２９２は、同様に、外部維持電極下側部分２２０Ｌおよび内部維持電極２２５間のギャップ２９０と、内部走査電極２８３および外部走査電極上側部分２８０Ｕ間のギャップ２８２とを含む。
【００８６】
副画素２７０は、副画素２９２に隣接する行Ｎ＋１内にある。副画素２７０は、データ電極２１０Ｒ、外部走査電極下側部分２８０Ｌ、内部走査電極２７６、内部維持電極２５０、および外部維持電極上側部分２５５Ｕの交点に位置することに留意する必要がある。
【００８７】
副画素２９６は、その一部分のみ図２に示され、副画素２９２に隣接する行Ｎ−１内にある。副画素２９６は、データ電極２１０Ｒおよび外部維持電極上側部分２２０Ｕを含む交点に位置することに留意する必要がある。
【００８８】
外部維持電極下側部分２２０Ｌおよび内部維持電極２２５は、まとめて分割維持電極と呼ばれる。同様に、内部走査電極２８３および外部走査電極上側部分２８０Ｕは、まとめて分割走査電極と呼ばれる。さらに、ギャップ２９０および２８２は、分割電極ギャップと呼ばれる。
【００８９】
外部維持電極下側部分２２０Ｌは、副画素２９２の上側外周にあり、外部走査電極上側部分２０８Ｕは、副画素２９２の下側外周にある。外部維持電極２２０は、アドレス期間の間、副画素２９２および副画素２９６間の垂直方向のクロストーク抑制するように、電気的に駆動される。同様に、外部走査電極２８０は、アドレス指定の間、副画素２９２および副画素２７０間の垂直方向のクロストーク抑制し、できれば防止するように、駆動される。結果として、アドレス放電は、内部電極領域２８７に制限され、副画素２９２全体を放電するのに比較して、アドレス放電電流は減少する。外部走査電極２８０は、副画素２９２の交互の維持放電の間、放電が内部走査電極２８３を越えて拡大することを促進し、外部走査電極上側部分２８０Ｕを放電するように、駆動される。画素間ギャップ２７７は、垂直方向のクロストークを防止する大きさに形成され、および／または水平方向の分離板は、画素間ギャップ２７７の中心に位置する隔壁２６０の構成に含まれる。同様に、外部維持電極２２０は、放電が内部維持電極２２５を越えて拡大することを促進し、外部維持電極下側部分２２０Ｌを放電するように、駆動される。画素間ギャップ２５５は、垂直方向のクロストークを防止する大きさに形成され、および／または水平方向の分離板は、画素間ギャップ２９４の中心に位置する隔壁２６０の構成に含まれる。
【００９０】
図３は、図２の電極を駆動する電圧波形群のグラフである。例えば、外部維持波形３０５は、外部維持電極２２０を駆動し、内部維持波形３１０は、内部維持電極２２５および２５０を駆動し、内部走査波形３１５は、内部走査電極２８３を駆動し、外部走査波形３２０は、外部走査電極２８０を駆動し、Ｘデータ波形３２５は、データ電極２１０Ｒを駆動する。図３の水平方向の軸は時間を表し、垂直方向の軸は電圧を表すが、水平方向の軸または垂直方向の軸のいずれとも、目盛りは描かれていない。
【００９１】
プラズマディスプレイは、６０Ｈｚの表示フレームを、８から１２パルス幅に調整されたサブフィールドに分割する。各サブフィールドは、各画素に適切な強度を達成するのに必要な光の一部分を生成する。各サブフィールドは、セットアップ期間、アドレス期間、および維持期間に分割される。維持期間は、さらに複数の維持サイクルに分割される。図３の波形は、このようなサブフィールドの１つに適用される。図３の左手側は、先行するサブフィールドの維持期間の終点を示す。
【００９２】
現サブフィールドは、セットアップ期間で始まる。セットアップ期間は、あらゆるオン副画素をオフ状態にリセットし、続いて起こるアドレス指定を可能とするため、ガスおよびＭｇＯ表面にプライミングを与える。目的は、ガスの放電開始電圧に非常に近い電圧に、各副画素を設定することである。例えば、副画素２９２をセットアップする場合、時点t５ないしt１５の間で弱い放電が生成され、その結果、電圧は、パネル内において、データ電極２１０Ｒおよび内部維持電極２２５間で、内部走査電極２８３上の電圧に対して、混合ガスの放電開始電圧となる。
【００９３】
各副画素がセットアップされた後、アドレス期間が開始する。アドレス期間において、各行は、内部走査波形３１５上の行Ｎに対してｔ２５ないしｔ３０に示されるように、行選択パルスにより順次選択される。データ電圧が、例えば、Ｘデータ波形上の時点ｔ２５におけるパルスのように、同時に副画素のデータ電極に供給される場合、アドレス放電が起こり、副画素をオン状態に設定する。
【００９４】
行Ｎ、すなわち、内部走査電極２８３が位置する行、を選択するために、内部走査波形３１５上に、時点ｔ２５で行選択パルスがある。内部走査電極２７６に対する行Ｎ＋１の行選択は、時点ｔ２５以外の時点で与えられることに留意する必要がある。さらに、内部走査波形３１５および外部走査波形３２０は、時点ｔ２５での行選択パルスを除いて、互いに同一であることに留意する必要がある。また、アドレス期間の間、さらに詳しくは時点ｔ２０から時点ｔ３５までの間隔の間、外部維持波形３０５は電圧Ｖｉｓｏにあり、他方、内部維持波形３１０は電圧Ｖｅにある。ここで、ＶｉｓｏはＶｅよりも小さい。
【００９５】
Ｘデータ波形３２５は、時点ｔ２５で正値のデータパルスを有する。内部走査波形３１５において、時点ｔ２５に行選択パルスと同時に発生するこのデータパルスは、維持ギャップ２８６内でアドレス放電を開始し、副画素２９２をオンする。アドレス放電は、データ電極２１０Ｒおよび内部走査電極２８３間で形成される。アドレス放電が開始された直後に、放電の正電荷の列は、維持ギャップ２８６を横切って、内部維持電極２２５に広がる。
【００９６】
アドレス期間の間、外部維持電極２２０は内部維持電極２２５（Ｖｅ）に関して負に（Ｖｉｓｏ）駆動されるから、アドレス放電は、ギャップ２９０を横切って外部維持電極下側部分２２０Ｌに進行することはない。同様に、外部走査電極２８０は、行非選択電圧であるＶｓｃａｎに、正に駆動されるから、アドレス放電は、ギャップ２８２を横切って外部走査電極上側部分２８０Ｕに進行することが防止される。
【００９７】
放電電流は放電電極領域に比例するから、アドレス指定領域２８７が副画素２９２内の内部維持電極２２５および内部走査電極２８３間の領域にあると同程度に、アドレス放電電流は大きく減少する。
【００９８】
アドレス指定された後、副画素は維持期間において繰り返し放電され、所望の輝度が生成される。
【００９９】
副画素２９２がアドレス期間の間にアドレス指定された場合、すなわち、アドレス放電が時点ｔ２５で開始された場合、維持期間において、多くの維持放電が維持ギャップ２８６内で生成される。維持期間において生成される維持放電の数は、副画素２９２に対する所望の輝度に関係する。各サブフィールドは、代表的には、維持期間内で異なる数の維持パルスを有する。
【０１００】
維持期間において、外部維持波形３０５および内部維持波形３１０は互いに同一であり、内部走査波形３１５および外部走査波形３２０は互いに同一である。したがって、便宜上、維持期間を説明する場合、（ａ）外部および内部維持波形３０５および３１０はまとめて維持波形と呼ばれ、（ｂ）内部および外部走査波形３１５および３２０はまとめて走査波形と呼ばれる。
【０１０１】
電圧Ｖｓのパルスが、外部および内部維持電極２２０および２２５に供給され、内部および外部走査電極２８３および２８０に供給される電圧Ｖｓのパルスと交互に行われ、副画素２９２が繰り返し放電される。
【０１０２】
第１維持放電は、時点ｔ４２およびｔ４５間で生じる。時点ｔ４０およびｔ４２において、維持波形および走査波形電圧の極性は、アドレス期間に対して逆転される結果、第１維持放電は、走査電極から維持電極の方向に電流の流れが生成される。
【０１０３】
維持放電は、時点ｔ４２およびｔ４５間において、正電荷の列が、内部走査電極２８３、ギャップ２８２、および外部走査電極上側部分２８０Ｕを横切って広がるように、維持ギャップ２８６で形成される。すなわち、維持放電は、維持期間の間、外部走査電極上側部分２８０Ｕに拡大することが可能になる。走査波形は、高い維持電圧Ｖｓ１を内部および外部走査電極２８３および２８０に与える結果、正電荷の列がギャップ２８２を横切って素早く広がるのに十分な電圧を与えることになる。結果として、ギャップ２８２は、維持ギャップ２８６よりも幅を広くすることができる。正電荷の列がより大きくなるがゆえに、ゆっくり動く負電荷の発光が膨張するにつれて、内部維持電極２８３、ギャップ２９０、および外部維持電極下側部分２２０Ｌを横切って、広がる。
【０１０４】
このような実施の形態は、４０ないし１００ミクロンの配線幅で、および６０ないし１２０ミクロンの維持ギャップおよび分割電極ギャップで、動作することが可能である。光は不透明な電極を避けて通過しなければならないから、より狭い配線およびより大きい間隔を有することは、有利である。
【０１０５】
図４は、ＰＤＰ４００の一部分の説明図であり、ＰＤＰ２００の一部分の説明図と類似している。ここでは、電極２２０Ｌ、２２５、２８３、および２８０Ｕの代わりに、不透明な開口部付き電極４１５、４３０、４５０、および４４０が、それぞれ存在する。各開口部付き電極は、２つの不透明で水平方向の配線を含み、これらは開口部を取り囲んでいる。
【０１０６】
例えば、開口部付き電極４３０は、開口部４２５を取り囲む、２つの不透明な電極４２０および４３５を含む。ＰＤＰ２００に対して同様に、外部維持開口部付き電極４０５および４１５と外部走査開口部付き電極は、画素間ギャップ４１０および４４５の周囲に環状に巻かれる。このような構成において、各開口部付き電極は、その開口部がそれほど大きくない場合、開口部の無い電極のように動作する。４０ミクロンの代表的電極配線幅および８０ミクロンの開口部は、このような特性を与える。したがって、ギャップ４５５を開口部４２５の間隔と同等にすることは、有利なことである。さらに短絡バー（図示されず）が、開口部、例えば、開口部４２５、内に配置されることにより、フォトリソグラフィ的表面欠陥が迂回される。例えば、マーコットによる米国特許番号６，４１１，０３５を参照。
【０１０７】
２つの水平方向の配線、例えば、ＰＤＰ４００の開口部付き電極を形成する４２０および４３５の構成は、外部開口部付き電極、例えば、電極４１５または４４０、もしくは内部開口部付き電極、例えば、電極４３０または４５０、のうちのいずれか一方の、水平方向の配線の数および開口部の数を変更するように修正することが可能である。これにより、アドレス放電容量と維持放電容量の比率を制御することが可能になる。例えば、単一の水平方向の電極配線は、図２に見られるように内部走査および内部維持電極、例えば、内部維持電極２２５および内部走査電極２８３、に実装され、他方、３つ以上の水平方向の電極配線は、外部開口部付き電極４１５および４４０を幅広くするため、実装される。
【０１０８】
ＰＤＰ４００の開口部付き電極構成により、ＰＤＰ２００よりも大きい画素を組み立てることが可能になる。動作特性は水平方向の配線幅および間隔により決定されるから、水平方向の配線幅、水平方向の配線間の間隔、または水平方向の配線の数および間隔の数、を増大することにより、画素サイズを拡大することが可能である。画素サイズが拡大するにつれて、放電が各副画素の外部両端に拡大することを確実にするために、維持パルス電圧を増大することが、一般的に必要になる。
【０１０９】
図５は、電極が導電性で透明な領域を含む場合、すなわち、透明電極の場合のＰＤＰ５００の一部分における実施の形態の説明図である。ＰＤＰ５００は、外部維持電極５１２、内部維持電極５２５、内部走査電極５５５、および外部走査電極５４５の交点に、副画素５０５を有する。外部維持電極５１２は、不透明な金属製環状電極５１０の一部分で覆われた透明電極５１５で構成される。内部維持電極５２５は、金属製バス電極５２０で覆われた透明電極５３０で構成される。内部走査電極５５５は、金属製バス電極５５０で覆われた透明電極５３５で構成される。外部走査電極５４５は、不透明な金属製環状電極５４２の一部分で覆われた透明電極５４０で構成される。
【０１１０】
この電極の構成、すなわち、金属電極で覆われた透明電極は、高い輝度および優れた輝度一様性を与える。
【０１１１】
高い輝度は、高い放電容量に起因する。放電容量が高くなるにつれて、大きな放電は、過度に広がり、垂直方向のクロストークを生み出す傾向をさらに強める。さらに、高い容量は、高いアドレス放電電流により引き起こされる電圧降下が原因で、アドレス指定動作マージンを減少させる。したがって、内部維持電極５２５および内部走査電極５５５において、透明電極５３０、５３５の透明な導体幅は減少するか除去されることにより、アドレス電流は減少し、外部維持電極５１２および外部走査電極５４５において、透明電極５１５および５４０は、幅が広くされることにより、増大する維持放電電力が供給される。
【０１１２】
図６は、副画素に３電極構成を備えたＰＤＰの一部分の説明図である。ＰＤＰ６００は、垂直方向の隔壁６３５と、赤、緑、または青の蛍光体でそれぞれ覆われたデータ電極６１０Ｒ、６１０Ｇ、および６１０Ｂと、を有する背面平板６０５を含む。ＰＤＰ６００は、さらに維持電極６１７、内部走査電極６６８、および外部走査電極６６２を含む。
【０１１３】
維持電極６１７は、金属製電極６１５で覆われた透明電極６２０で構成される。内部走査電極６６８は、金属製電極６６５で覆われた透明電極６２５で構成される。外部走査電極６６２は、金属製電極６６０で覆われた透明電極６３０で構成される。金属製電極材料は、不透明な金属製導体である。
【０１１４】
副画素６７５は、データ電極６１０Ｒ、維持電極６１７、内部走査電極６６８、および外部走査電極６６２の交点に位置する領域内にある。
【０１１５】
副画素６７５は行Ｎ内にあり、行Ｎ＋１内の副画素６５０に垂直方向に隣接する。外部走査電極６８０は、行Ｎ−１に対応する。維持電極６３２、内部走査電極６４５、および外部走査電極６４０は、行Ｎ＋１に対応する。画素間ギャップ６５５は、副画素６７５および６５０間にある。
【０１１６】
副画素６７５は、維持電極６１７および内部走査電極６６８間に位置する維持ギャップ６７０を含む。外部走査電極６６２は、副画素６７５の外周にあり、それゆえ同様に画素間ギャップ６５５に隣接する。外部走査電極６６２は、副画素６７５から副画素６５０への垂直方向のクロストークを抑制するように、電気的に駆動される。
【０１１７】
内部走査電極６６８を含むアドレス放電の間、第１電圧は内部走査電極６６８に供給され、第２電圧は外部走査電極６６２に供給される。第１および第２電圧に対する適切なレベルを選択することにより、背面平板６０５および内部走査電極６６８間で形成されるアドレス放電は、外部走査電極６６２に拡大することを抑制される。
【０１１８】
負電荷の発光が内部走査電極６６８に制限されている間、正電荷の列は、素早く維持電極６１７を巻き込む。
【０１１９】
アドレス指定電流は、内部走査電極６６８の容量により制限される。
【０１２０】
外部走査電極６６０は、放電に必要とされないから、電流は制限される。透明電極６２０の領域がより大きくなり、金属製バス電極５２０により引き起こされる光シェーディングがより小さくなるがゆえに、ＰＤＰ６００は、ＰＤＰ５００を上回って改善された輝度を提供する。
【０１２１】
ＰＤＰ６００は、維持電極６１７、内部走査電極６６８、および外部走査電極６６２で構成されるように示されているが、垂直方向のクロストークを抑制する考え方は、内部および外部維持電極にも同様に用いることができる。例えば、維持電極６１７は、アドレス放電電流をさらに制限するように互いに独立に制御される内部維持電極および外部維持電極に、再配置することが可能である。これにより、維持電極および走査電極のいずれか一方または両方とも、外部電極および内部電極で構成することができる。
【０１２２】
図７は、図３の波形を生成する回路７００のブロック図である。回路７００は、順繰りに、外部維持電極、内部維持電極、内部走査電極、および外部走査電極を互いに独立に制御する、より小さな回路で構成される。回路７００は、維持側波形生成部７０５および走査側波形生成部７１０を含む。
【０１２３】
維持側波形生成部７０５は、内部維持波形３１０の発生源として機能する維持波形を生成する。維持側波形生成部７０５からの維持波形は、さらに、スイッチ７０１に送られ、外部維持波形３０５の発生源として機能する。
【０１２４】
走査側波形生成部７１０は、走査波形を生成する。走査波形は、例えば、走査ライン１から走査ライン４８０まで、走査ラインの行を駆動する行駆動部７１５に提出され、それゆえ、行Ｎに対する内部走査波形３１５の発生源として機能する。走査側波形生成部７１０からの走査波形は、さらに、外部走査波形３２０の発生源として機能するスイッチ７０２に送られる。
【０１２５】
各スイッチ７０１および７０２は、位置Ａまたは位置Ｂのいずれか一方に設定することができる。図７に示されるように、スイッチ７０１および７０２は、アドレス期間の間、例えば、図３で時点ｔ２０から時点ｔ４０まで、位置Ａに接続され、外部維持電極および外部走査電極を制御することにより、アドレス放電を抑制する電圧が与えられる。維持側に関しては、維持電極は、維持側波形生成部７０５から直接に駆動される。分離電圧Ｖｉｓｏは非接地電圧であり、例えば、維持側波形生成部７０５の出力電圧より低い５０ないし１００ボルトを浮動する。
【０１２６】
走査側において、行駆動部７１５は、アドレス期間の間、各行を走査するトーテムポール出力行駆動部になっている。端子２３０および２４５を介してそれぞれの内部走査電極に接続される各表示行に対して、個々の出力がある。走査側波形生成部７１０は、アドレス期間の間、７５ないし１５０ボルトの電圧Ｖｓｃａｎを生成する。外部走査電極、および行駆動部７１５内のトーテムポール出力の高電位側は、スイッチ７０２の共通点につながれる。共通点は、走査側波形生成部７１０の出力に対して正の電圧を与える。この正電圧は、アドレス期間の間、行非選択レベルを与える。
【０１２７】
各内部走査電極は、アドレス期間の間、０Ｖに対して低いパルスを順次送られ、選択された行のアドレス指定を可能にする。次に、アドレス放電は、Ｘ−データ電極が５０ないし７５ボルトで駆動される各副画素位置において、形成される。
【０１２８】
アドレス期間以外の期間の間、スイッチ７０１および７０２は、位置Ｂに設定されることにより、外部維持電極は、維持側波形生成部７０５から直接に駆動され、外部走査電極は、走査側波形生成部７１０から直接に駆動される。
【０１２９】
ここで説明される各実施の形態は、任意のライン上のすべての画素がアドレス指定される場合に生じるアドレス放電電流のピーク値を減少させ、それゆえ行駆動部７１５の電流要求を減らす。さらに、維持期間の間に生じる維持放電電流は、行駆動部７１５を介さずスイッチ７０２周辺を介して、外部走査電極から流される。個々の内部走査電極からの維持電流は、行駆動部７１５におけるトーテムポール出力の低電位側トランジスタを介して流れる。実際には、各スイッチ７０１および７０２は、金属酸化物半導体トランジスタ（ＭＯＳＦＥＴ：ｍｅｔａｌ  ｏｘｉｄｅ  ｓｅｍｉｃｏｎｄｕｃｔｏｒ  ｔｒａｎｓｉｓｔｏｒ）または分離ゲートバイポーラトランジスタ（ＩＧＢＴ：ｉｎｓｕｌａｔｅｄ  ｇａｔｅ  ｂｉｐｏｌａｒ  ｔｒａｎｓｉｓｔｏｒ）のような高電流トランジスタの対を使用する。
【０１３０】
走査および維持電極は、分割電極として構成される場合、（すなわち、内部および外部走査電極、および内部および外部維持電極）、別の駆動技術が考案され、分割電極構成を利用してさらに動作特性を改善する。
【０１３１】
第１駆動技術は、暗部スクリーンコントラスト比を改善する。弱いセットアップ放電を生成するセットアップ電圧波形により生成される背景発光は、各副画素位置の中心領域に封じ込められる。このようなセットアップ電圧波形は、外部電極をより低いセットアップ電圧で駆動し、他方、先行する電圧レベルは内部電極を駆動するのに使用され、セットアップ放電が各副画素の外部領域に拡大することを抑制する。セットアップ放電領域を減少させれば、セットアップ放電光が減少し、したがって暗部スクリーンコントラスト比が改善される。
【０１３２】
第２駆動技術は、維持期間に適用される。各分割電極対の外部電極は、より高い維持パルス電圧で駆動されることにより、外部電極に追加の電圧を与え、放電を各副画素位置の外部境界まで引き起こすようにする。これにより、維持電圧自身を減少させ、その結果、維持発光効率を改善し、さらに動作電圧マージンを改善することが可能になる。
【０１３３】
例えば、図２は、各分割電極対を詳述する。維持ギャップ２８６は、副画素２９２の中心にあり、内部維持電極２２５および内部走査電極２８３を分離する。外部走査電極２８０は、ギャップ２８２により、内部走査電極２８３から分離される。外部維持電極２２０は、ギャップ２９０により、内部維持電極２２５から分離される。一般に、ギャップ２９０および２８２は、互いに同サイズである。
【０１３４】
行駆動部７１５を利用し、セットアップ期間の間、セットアップ電圧波形を生み出し、上昇セットアップ傾斜波形の間（図３、時点ｔ５ないし時点ｔ１０を参照）、電圧Ｖｓｃａｎを内部走査電極２８３に供給することにより、暗部スクリーンコントラスト比の改善が達成される。走査側波形生成部７１０が、時点ｔ１０で、電圧Ｖｓｃａｎと同等な量、例えば、９０ないし１２０ボルトだけ、その出力をセットアップ電圧Ｖｗから減少させる時、外部走査電極２８０に対するセットアップ電圧波形には、この電圧Ｖｓｃａｎが適用されない。外部走査電極２８０に供給される電圧が減少するにつれて、上昇傾斜波形の間（時点ｔ５ないし時点ｔ１０）に生じる、弱い正電荷の抵抗セットアップ放電は、内部走査電極２８３に封じ込められる。内部走査電極２８３では、より高い電圧が存在し、この電圧が外部走査電極２８０に拡大することを抑制される。したがって、セットアップ放電により生成される光は減少する。
【０１３５】
より高い電圧が必要な各分割対内の外部電極に、より高い電圧を供給することにより、維持放電特性が最適化される。比較的狭い、例えば、大略８０ミクロンほどの維持ギャップ２８６に存在する高い電界が、比較的低い初期放電開始電圧を提供する。しかしながら、維持放電が副画素２９２全体にわたって、十分に広がるのに必要な電圧は、副画素２９２および混合ガスの寸法に依存して、５０ないし１００ボルト高くなる。結果として、単一維持電圧が副画素２９２の全部を放電するように供給される場合、副画素２９２の中心領域は、過剰に活性化され、その末端の領域は不十分に活性化される。内部電極２２５および２８３が低い点火電圧で駆動され、外部電極２２０および２８０がこれよりも比較的高い電圧で駆動される場合、発光効率および耐用期間における改善が達成される。
【０１３６】
図８は、図７と同様に、ＰＤＰの電極を制御する回路８００のブロック図である。回路８００は、順繰りに、電極を制御するより小さな回路で構成される。図９は、以下により詳細に説明するように、回路８００により生成される波形群を示す。
【０１３７】
回路８００は、スイッチ８０１およびスイッチ８０２を含む。各スイッチ８０１および８０２は、位置Ａ、Ｂ、およびＣを有する。
【０１３８】
スイッチ８０２は、セットアップ期間の間、位置Ａに設定され、外部走査電極２８０を走査側波形生成部７１０により直接に駆動することを可能にする。
【０１３９】
スイッチ８０２は、アドレス期間の間、位置Ｂに設定され、オフセット電圧Ｖｓｃａｎを外部走査電極２８０に与える。維持期間の間、スイッチ８０２を位置Ｃに設定することにより、追加のオフセット電圧Ｖｓ３が、各維持パルスと切り替えられ、外部走査電極２８０への各パルスの電圧を上げる。
【０１４０】
回路７００とは対照的に、行駆動部７１５は、簡単にするために、一定の電圧Ｖｓｃａｎが供給される。「ラッチアップ」は、集積回路基板に高電流が流れることにより引き起こされる寄生性の状態である。実際の行駆動部のデバイスは、代表的には比較的高い電圧であるＶｓｃａｎが維持期間の間除去され、行駆動部７１５を「ラッチアップ」から防止することが必要である。
【０１４１】
電圧ＶｓｃａｎおよびＶｓ３は、走査側波形生成部７１０の出力とともに浮動するオフセット電圧を与えるキャパシタＣ２およびＣ３をそれぞれ介して、走査側波形生成部７１０からＡＣ結合される。外部走査電極２８０に供給される電圧は、走査側波形生成部７１０の出力、電圧Ｖｓｃａｎ、および走査側波形生成部７１０の出力より大きい追加の電圧Ｖｓ３の間で、切り替えることができる。同様に、行駆動部７１５は、各行を、走査側波形生成部７１０の出力、および走査側波形生成部７１０の出力より大きい電圧Ｖｓｃａｎの間で、独立に切り替えることができる。
【０１４２】
スイッチ８０１は、セットアップ期間の間、位置Ａに設定され、外部維持電極２２０を維持側波形生成部７０５により直接に駆動することを可能にする。スイッチ８０１は、アドレス期間の間、位置Ｂに設定され、ＡＣ結合された分離電圧Ｖｉｓｏを与えることにより、垂直方向のクロストークを抑制する。スイッチ８０１は、維持期間の間、位置Ｃに設定され、各維持側維持パルスと同期して、ＡＣ結合された電圧Ｖｓ３が外部維持電極２２０に供給されることを可能にすることにより、各パルスに追加の量を与える。
【０１４３】
図９は、図３と同様に、回路８００により生成される電圧波形群のグラフである。図９は、外部維持波形９０５、内部維持波形９１０、内部走査波形９１５、外部走査波形９２０、走査生成部波形９２５、およびＸデータ波形９３０を示す。
【０１４４】
外部維持波形９０５は、外部維持電極２２０に供給される。
【０１４５】
内部維持波形９１０は、内部維持電極２２５に供給される。内部走査波形９１５は、内部走査電極２８３に供給される。外部走査波形９２０は、外部走査電極２８０に供給される。走査生成部波形９２５は、走査側波形生成部７１０により生成される。Ｘデータ波形９３０は、データ電極２１０Ｒに供給される。
【０１４６】
図３に対して、図９における走査波形生成部電圧Ｖｗは、７５および１５０Ｖ間のＶｓｃａｎ電圧に同等な量だけ減少している。
【０１４７】
行駆動部７１５は、走査側波形生成部７１０の出力を参照するので、行駆動部７１５は、ｔ５ないしｔ１０の期間の間、出力電圧Ｖｓｃａｎに切り替えられ、走査Ｎ波形９１５を生成し、行Ｎに対する内部走査電極、すなわち、内部走査電極端子２８３に供給する。ｔ５ないしｔ２０のセットアップ期間の間、スイッチ８０２は位置Ａに設定され、外部走査電極２８０は、走査生成部波形９２５と同様に、外部走査波形９２０で駆動される。
【０１４８】
時点ｔ５において、行駆動部７１５は、電圧Ｖｓｃａｎに高く駆動され、電圧Ｖｓｃａｎは、キャパシタＣ２を介して走査側波形生成部７１０の出力を参照する。行駆動部７１５は、走査側波形生成部７１０の出力を参照し、走査生成部波形９２５は、時点ｔ５で傾斜するので、内部走査波形９１５は、傾斜波形の後、Ｖｓｃａｎボルトのオフセット電圧が続く。Ｖｗ＋Ｖｓｃａｎの電圧手法で結合された緩やかな傾斜波形は、内部走査電極２８３がデータ電極２１０Ｒおよび内部維持電極２２５の両方に対して放電する状態において、弱く非アバランシェ型の正電荷抵抗放電を生み出す。この放電は、ディスプレイの背景発光強度の第１半分を形成する。
【０１４９】
内部走査電極２８３はこの放電の発生源であるから、外部走査電極２８０上における外部走査波形９２０からの傾斜波形の電圧がより低くなると、放電しなくなり、それゆえ放電される物理領域のサイズは減少する結果、背景発光強度は減少する。
【０１５０】
時点ｔ１０において、内部走査波形９１５に関しては、行駆動部７１５の出力は、走査側波形生成部７１０の出力（走査生成部波形９２５を参照）に同等な、低いレベルに切り替えられる。走査生成部波形９２５は、時点ｔ１０ないし時点ｔ１５の間、下降傾斜するので、内部走査波形９１５が追随する。スイッチ８０２は、セットアップ期間の間、位置Ａに設定され、それゆえ、外部走査波形９２０は、同様に下降傾斜することを思い出す必要がある。セットアップ電圧波形電圧は下降傾斜するので、緩やかな正電荷の抵抗セットアップ放電が、再び生じ、この時点でデータ電極２１０Ｒおよび内部維持電極２２５が発生源となる。外部維持電極２２０および外部走査電極２８０は、時点ｔ５および時点ｔ１０間における上昇傾斜波形のセットアップ放電に含まれないから、時点ｔ１０および時点ｔ１５間の下降傾斜波形の間、これらの電極は放電するのに十分な壁電荷を有しない。その結果、セットアップ放電は、外部走査電極２８０および外部維持電極２２０に拡大することを抑制される。これにより、背景発光強度の第２半分を占める、下降傾斜波形により生成される光が減少する。外部走査電極２８０は、内部走査電極２８３上のセットアップ放電に影響しないように、両傾斜波形を追随する。
【０１５１】
時点ｔ２０で、アドレス期間が開始し、内部走査波形９１５に関しては、行駆動部７１５は高レベルに切り替えられ、内部走査電極２８３をレベルＶｓｃａｎにする。スイッチ８０２は、アドレス期間の間、位置Ｂに設定され、外部走査波形９２０に関しては、外部走査電極２８０は、同様に電圧Ｖｓｃａｎに駆動される。したがって、外部走査電極２８０はアドレス放電から除外される。
【０１５２】
時点ｔ２０およびｔ３５間において、各行は、それぞれの走査電極上の下降パルスにより個々に選択される。例えば、内部走査波形９１５に関して、時点ｔ２５で開始する下降パルスは、行Ｎ、すなわち、副画素２９２を含む行、の選択に一致する。もし存在するなら、データ電極２１０Ｒにおける画像データ依存性のＸデータパルスの一致により、維持ギャップ２８６においてアドレス放電は始動する。アドレス放電は、データ電極２１０Ｒおよび内部走査電極２８３間で形成される。放電は、正電荷の列領域および負電荷の発光領域を、素早く生み出す。負電荷の発光は、内部走査電極２８３にとどまるが、正電荷の列は、内部維持電極２２５を包む維持ギャップ２８６を横切って広がり、その結果、副画素２９２内の領域２８６を放電する。
【０１５３】
さらに時点ｔ２０およびｔ３５間では、外部維持波形９０５に関して、外部維持電極２２０は、分離電圧Ｖｉｓｏで駆動される。内部維持波形９１０に関しては、電圧Ｖｅは、内部維持電極２２５に供給される。電圧Ｖｉｓｏは、電圧Ｖｅよりも小さい。外部維持電極２２０を、内部維持電極２２５よりも低い電位に設定することにより、アドレス放電の正電荷の列は抑制される。すなわち、外部維持電極２２０を横切って広がることが、抑制される。アドレス放電が、外部維持電極２２０および外部走査電極２８０のいずれか一方または両方に拡大することを可能にするよりも、むしろ内部走査電極２８３および内部維持電極２２５間におけるより小さい領域２８６に、アドレス放電を封じ込めることにより、アドレス放電電流は減少する。抵抗性の電圧降下が内部走査電極２８３全体で発生し、行駆動部７１５の出力抵抗がアドレス指定マージンを制限するので、アドレス放電電流を減少することにより、アドレス指定マージンは改善される。
【０１５４】
時点ｔ４２ないし時点ｔ４５の間、第１維持放電は、走査電極対、すなわち内部走査電極２８３および外部走査電極２８０Ｕから、維持電極対、すなわち、外部維持電極２２０Ｌおよび内部維持電極２２５に、発生する維持放電電流によって生じる。走査生成部波形９２５に関しては、走査側波形生成部７１０は、維持電圧Ｖｓよりも大きい電圧Ｖｓ１を生成する。走査生成部波形９２５は、内部走査波形９１５および外部走査波形９２０の両方を生成するのに使用され、他方、内部維持波形９１０および外部維持波形９０５は、接地電圧（０Ｖ）に切り替えられる。電圧Ｖｓ１は、放電における正電荷の列領域が、内部および外部走査電極２８３および２８０Ｕの両方を横切って、広がるように選ばれる。図９には示されないが、本発明のいくつかの実施の形態において、詳しくはギャップ２８２が維持ギャップ２８６よりも大きい場合、第１維持放電の間、外部走査電極２８０により高い電圧が供給され、維持放電が、内部および外部走査電極２８３および２８０Ｕの両方を横切って広がる結果、副画素領域２９２の全部が放電される。
【０１５５】
第２、第３、および続いて起こる維持放電は、維持および走査側波形生成部７０５および７１０によって生じ、Ｖｓボルトの大きさの維持パルスを生成する。各維持パルスエッジと同期して、スイッチ８０１および８０２は、対応する外部電極２２０または２８０を接続し、電圧Ｖｓ３を供給する。具体的には時点ｔ４５において、外部維持波形９０５は電圧Ｖｓ３を外部維持電極２２０に供給し、他方、内部維持波形９１０は、電圧Ｖｓを内部維持電極２２５に供給する。同様に、時点ｔ６０において、外部走査波形９２０は、電圧Ｖｓ３を外部走査電極２８０に供給し、他方、走査Ｎ波形９１５は、電圧Ｖｓを内部走査電極２８３に供給する。その結果、内部維持電極は電圧Ｖｓで駆動され、外部維持電極はＶｓに足すことのＶｓ３で駆動される。
【０１５６】
維持放電は、外部維持電極２２０および外部走査電極２８０に拡大するように意図され、外部電極２２０および２８０に供給される電圧、すなわち、Ｖｓ３は、内部電極２２５および２８３に供給される電圧、すなわち、Ｖｓよりも高い。外部電極２２０および２８０に使用可能な電圧が高くなるにつれて、分割電極ギャップ２９０および２８２はより大きくなることがわかる。例えば、分割電極ギャップ２９０および２８２は、維持ギャップ２８６の１５０％のサイズである。このような実施の形態は、放電における正電荷の列領域のサイズを増大する。この列領域は、より高い発光効率を与えると説明されてきた。さらに詳細は、ウェーバーによる米国特許番号６，１８４，８４８を参照。
【０１５７】
図１０に関して、本発明の別の実施の形態がＰＤＰ１０００を含み、その一部分だけが示される。ＰＤＰ１０００は副画素１０９２を含み、副画素１０９２は、複数の背面平板隔壁１０６０、背面平板データ電極１０１０、３つ以上の前面平板維持電極１０１５、１０２０、および１０２５を含む。これらの前面平板維持電極は、維持側制御部１０３０により駆動される分割維持電極を形成する。ＰＤＰ１０００は、さらに３つ以上の前面平板走査電極１０３５、１０４０、および１０４５を含む。これらの前面平板走査電極は、分割走査電極を形成し、分割走査電極は、走査側制御部１０５０に接続され、走査側制御部１０５０により駆動される。
【０１５８】
維持側制御部１０３０は、少なくとも３つの維持電極１０１５、１０２０、および１０２５の独立した制御を与える。走査側制御部１０５０は、少なくとも３つの走査電極１０３５、１０４０、および１０４５の独立した制御を与える。
【０１５９】
各電極の独立制御は、少なくとも１つの維持電極１０２０および少なくとも１つの走査電極１０４０により、隔壁１０６０に水平方向および垂直方向に境界付けされた内部大部分副画素領域１０８７に、放電を封じ込めるように、各分割電極の一部分を制御する能力を与える。さらに、独立制御は、上昇する電圧を各電極群（維持または走査）に選択的に供給し、維持放電の間、維持放電が内部大部分領域１０８７を越えて放電することを選択的に可能にする。ＰＤＰ１０００は、各維持放電に対して増大した電力、その結果増大した輝度を与える一方、セットアップおよびアドレス放電の電力および輝度を減少させる。
【０１６０】
副画素領域全体が放電され、維持電極は正電荷が蓄積されたアノードであり、走査電極は負電荷が蓄積されたカソードであるような特定の維持放電に対して、個々の電圧は維持電極１０２５、１０２０、および１０１５に供給される。維持電極１０１５に供給される電圧は、代表的には２５０ボルトであり、維持電極１０２０に供給される電圧よりも大きく、維持電極１０２０に供給される電圧は、代表的には２２０Ｖであり、維持電極１０２５に供給される電圧よりも大きく、維持電極１０２５に供給される電圧は、代表的には２００Ｖである。他方、走査電極は、代表的には０ボルトの共通電位の維持電極に対して、負に駆動される。維持放電が形成されると同時に、放電における正電荷の列領域は、維持電極１０２５、１０２０、および１０１５を横切って素早く広がり、他方、負電荷の発光領域は、走査電極１０３５、１０４０、および１０４５を横切って、ゆっくりと漂流する。次の交互の維持放電において、上昇する電圧が走査電極１０３５、１０４０、および１０４５にそれぞれ供給される一方、維持電極は、０ボルトの共通電位に駆動される。
【０１６１】
特定の維持放電に続いて、維持電極１０２５、１０２０、および１０１５に供給される、上昇する電圧を除去することにより、このような電極が次の交互の維持放電に対してカソードになる場合、ガスを横切って、上昇する負電圧となる。すなわち、外部大部分維持電極１０１５は、直前の放電による壁電荷が原因で、大部分が負になる。この上昇する負電圧は、維持（ここではカソードとして動作する）電極１０２５、１０２０、および１０１５を横切って、負電荷の発光の漂流を助け、追加の電圧の各カソード電極への供給を必要とせずに、外部に負電荷の発光を引き起こす。
【０１６２】
電圧を独立に制御する能力は、副画素領域１０９２の全部に比べて、放電する領域１０８７および１０９０を減少可能にする。このような本発明の実施の形態は、制御可能な放電領域を可能とする。内部維持電極１０２５および内部走査電極１０３５間の維持ギャップ１０８６は、ガスの放電開始電圧を減少させるため、代表的には５０ないし１００ミクロンに、小さくすることが望ましい。さらに、分割電極１０２０および１０２５間のギャップ１０２２、および分割電極１０１５および１０２０間のギャップ１０１７は、ディスプレイの発光効率を改善するため、例えば、１００ないし２００ミクロンよりも大きくすることが望ましい。
【０１６３】
同様に、分割電極１０３５間のギャップ１０３７は、分割電極１０４０および１０４５間のギャップ１０４２よりも小さい。
【０１６４】
図１０は、さらに、各分割電極内の電極の間で変化する電極幅を示す。代表的には、放電領域内の不透明な金属製電極の幅を最小限に抑え、導体により阻止される光量を減少させることが、望ましい。さらに、内部大部分電極を狭くすることにより、セットアップおよびアドレス放電の電力および輝度が減少する。維持放電の間、供給される電力は、電極領域に比例し、それゆえ、中間および外部電極の幅がより広くなるにつれて、放電電力およびその結果である輝度はより大きくなる。発光効率を最大化するためには、不透明な導体幅に関して、妥協が必要である。放電セルの末端では、生成される光はより小さくなるから、外部大部分電極は、幅がもっとも広くなる。
【０１６５】
プラズマディスプレイのサイズが増大するにつれて、画素のサイズは増大することが望ましい。図１０は、拡大され、間隔１０１７における中間維持電極１０２０をさらに含み、間隔１０４２に対応する走査電極をさらに含む。この場合、駆動回路が、維持制御部１０３０および走査制御部１０５０に、さらに追加される。各電極の独立制御により、十分な電圧を各電極に供給することが可能となり、放電が各分割電極群を横切って広がるようにすることができる。さらに、独立制御により、副画素領域内の追加の領域に、放電を封じ込めることが可能となる。例えば、追加の領域は、副画素領域１０９２に含まれ、副画素領域１０９２は、追加の領域内に含まれる領域１０９０と、ギャップ１０１７および１０４２内にそれぞれ位置する追加の維持電極および追加の走査電極とを備えている。
【０１６６】
図１０に示されるように、４つ以上の分割電極の構成に対しては、追加の走査および維持電極の複数対を加え、図１３で説明されるように、上昇電圧案を適用することにより、画素のサイズは拡大する。
【０１６７】
このような本発明の実施の形態において、第１維持放電の間、追加の負電圧を維持電極に供給することは、さらに、分割維持電極群を横切って、負電荷の発光を引き起こすことに有益である。
【０１６８】
図１１に関して、本発明の別の実施の形態はＰＤＰ１１００を含み、その一部分だけが示される。ＰＤＰ１１００は、一般的に、ＰＤＰ２００（図２）の２つの分割電極に比較して、３つの分割電極（維持および走査）を含む。ＰＤＰ１１００は、内部維持電極１１２５および外部維持電極環１１２０間に配置される中間維持電極１１０１を含む。同様に、中間走査電極１１８１は、内部走査行Ｎ電極１１８３および外部走査電極環１１８０間に配置される。
【０１６９】
フォトリソグラフィ的工程が、図１１の電極を製造するのに用いられる場合、電極内の小さな割れ目により、電気的な開回路を形成することができる。表示領域内に電極開回路がある場合に冗長な電流経路を与えるため、環状電極として構成される外部維持電極１１２０および外部走査電極１１８０と同様に、電極１１９０を短絡することにより、中間走査電極は維持側に接続される。
【０１７０】
同様に、電極１１９１を短絡することにより、内部維持電極は接続され、電極１１９２を短絡することにより、中間維持電極は接続される。
【０１７１】
図１３に関して、図１１の３電極ＰＤＰ１１００に供給される波形は、図９の波形において維持期間に小さな変化を加えたものになっている。
【０１７２】
図１３は、外部維持電極１１２０が外部維持波形１３０５で駆動され、中間維持電極１１０１が中間維持波形１３０７で駆動される等のように、図１１と対応する。
【０１７３】
時点ｔ４２およびｔ４５間で生じる第１維持放電に対して、維持電極１１０１、１１２０、および１１２５は、０ボルトの共通電位に駆動され、他方、上昇する電圧は各走査電極に供給される。走査Ｎ電極１１８３は電圧Ｖｓ１に駆動され、中間走査電極１１８１は電圧Ｖｓ４に駆動され、外部走査電極１１８０は電圧Ｖｓ３に駆動される。ここで、Ｖｓ３はＶｓ４よりも大きく、Ｖｓ４はＶｓ１よりも大きい。Ｖｓ１は、動作マージンを改善するのに必要な電圧Ｖｓ以上である。上昇する電圧が、分割走査電極群１１８３、１１８１、および１１８０に、それぞれ供給されると、第１維持放電の正電荷の列は、維持ギャップ１１８６から、分割走査電極群を横切って広がり、領域１１９２の下半分を放電する。
【０１７４】
同等な電圧が、維持電極１１０１、１１２０、および１１２５に供給されている状態で、負電荷の発光は、分割維持電極群を横切って全部に広がってもよいし、広がらなくてもよい。
【０１７５】
第２維持放電に対して、上昇する電圧は、分割維持電極群１１２５、１１０１、および１１２０に、それぞれ供給され、他方、分割走査電極群１１８３、１１８１、および１１８０は０Ｖに復帰する。各走査電極に供給される電圧が同等である間、電極に供給される電圧の降下と連動する先行放電により生じた、誘電体表面上の壁電荷に起因して、上昇する負電圧が、分割走査電極群を横切って生じる。これにより、第２維持放電は、正電荷の列が、分割維持電極群を横切って広がるようにし、他方、負電荷の発光は、分割走査電極群を横切って広がり、セル領域１１９２全体は放電される。
【０１７６】
同様に、続いて維持放電が生じ、上昇する電圧は、走査および維持電極が０Ｖに駆動される間に、それぞれ走査および維持電極群に交互に供給される。
【０１７７】
図１２に関して、図８に対してスイッチ回路８０１および８０２がスイッチ対１２５５として再現される。スイッチ対１２５５は、Ｖ４よりも大きい電圧Ｖ３を供給される。これにより、外部維持電極１１２０および外部走査電極１１８０に対応する、第３および外部大部分維持および走査電極１２０５および１２２０をそれぞれ駆動するのに必要な、追加の上昇する電圧レベルが生み出される。
【０１７８】
キャパシタＣ５およびＣ６は、Ｖ４の浮動版を生み出し、キャパシタＣ３およびＣ４は、Ｖ３の浮動版を生み出す。これにより、維持または走査生成部が、Ｖｓを内部走査または維持電極１１８３および１１２５に出力する場合、Ｖｓ＋Ｖ４に同等なＶｓ４が中間走査または維持電極１１８１および１１０１に供給され、Ｖｓ＋Ｖ３に同等なＶｓ３が外部走査または維持電極１１８０および１１２０に供給される。同様に、電圧ＶｓｃａｎおよびＶｉｓｏは、走査および維持波形生成部の出力上で、それぞれ浮動する。
【０１７９】
図９の波形とともにＰＤＰ２００（図２）に見られるように、図１１のＰＤＰ１１００における内部電極領域１１８７は、セットアップおよびアドレス指定動作に対して、放電され、他方、副画素１１９２内の領域１１８７より上部およびより下部の外部領域は、維持動作に対して、放電される。スイッチ１２０４の動作はスイッチ８０２と同様であり、スイッチ１２０３と同時に動作し、中間および外部走査電極は、セットアップおよびアドレス期間の間、端子Ｂを介して駆動され、放電活動を領域１０８７に分離し、中間および外部走査電極１１８１および１１８０から内部走査電極１１８３上に生じるようにする。スイッチ１２０３および１２０４は、維持期間の間、端子ＡおよびＣ間で切り替えられ、走査側波形生成部が電圧Ｖｓの維持パルスを生成する場合、スイッチ１２０３および１２０４が端子Ｃを選択するようにする。
【０１８０】
同様に、スイッチ１２０２は、スイッチ１２０１と同時に動作し、セットアップ期間の間、端子Ａが選択され、中間および外部維持電極１１０１および１１２０を内部維持電極１１２５とともに動作し、アドレス期間の間、中間および外部維持電極１１０１および１１２０が端子Ｂを介して分離電圧Ｖｉｓｏに接続され、内部維持電極を含むアドレス放電が、中間および外部維持電極に拡大しないようにする。スイッチ１２０２および１２０５は、維持期間の間、端子ＡおよびＣ間を切り替えられ、維持側波形生成部が電圧Ｖｓの維持パルスを生成する場合、スイッチ１２０２および１２０１が端子Ｃを選択するようにする。外部維持および中間維持電極に供給される全電圧は、それぞれＶｓ３およびＶｓ４である。
【０１８１】
４つ以上の分割電極を含む実施の形態に対して、追加のスイッチ回路の複数対１２５５は、Ｖ３よりも大きい電圧を必要とする各回路に加えられる。
【０１８２】
図１４に関して、本発明の別の実施の形態は、電極幅および電極間隔が変更した電極を備えたＰＤＰ１４００を含む。具体的には、画素の中心から維持ギャップ１４３５だけ離れた電極１４０１は、電極１４０５よりも狭い幅を示し、電極１４０５は電極１４１０よりも狭い幅を示す。さらに、それぞれの電極１４５０、１４５５、および１４６０は、同じ変化幅を示す。さらに、電極１４０５、１４１０、１４５５、１４６０は、透明電極部分１４１５、１４２０、１４６５、および１４７０を、それぞれ有する。電極ギャップまたは間隔１４３５は電極間隔１４３０よりも小さく、電極間隔１４３０は電極間隔１４２５より小さい。
【０１８３】
それぞれの電極間隔１４４０および１４４５は、さらに間隔１４３０および１４２５と同じ電極間隔をそれぞれ示す。電極１４０１、１４０５、および１４１０は波形生成部１４７５に接続され、他方、電極１４５０、１４５５、および１４６０は波形生成部１４８０に接続される。
【０１８４】
各波形生成部１４７５および１４８０は、セットアップおよびアドレス指定動作が、維持ギャップ１４３５周囲で実行されるように、それぞれの電極を制御することにより、中心画素領域１４９０内の壁電荷に影響を及ぼす。維持期間の間、電圧を独立して制御することにより、維持放電が画素領域１４９０の中心に制御されることを可能にするか、もしくは、放電が、中間画素領域１４９３または画素領域１４９５の全部に拡大される。維持放電領域は、各波形生成部１４７５および１４８０により、その各電極に供給される電圧で制御される。各波形生成部１４７５および１４８０は、電圧をそれぞれの電極に交替で供給し、反対方向に交互に放電を生み出す。各電圧の供給に対して、波形は、連続的に増大する電圧をそれぞれの電極に生成することにより、放電領域を拡大し、逆に、連続的に減少する電圧を生成することにより、放電領域を電圧放電内の領域に封じ込める。
【０１８５】
図１４に関して、好適な実施の形態において、内部走査および内部維持電極は、中間または外部電極よりも狭い幅を有する。走査電極幅は、維持電極対抗部分と同等の幅に合致させることが望ましい。すなわち、狭い、代表的には４０ないし８０ミクロン幅の内部走査電極は、内部維持電極と同等の幅に合致させることが望ましい。狭い内部電極は電力を減少させ、それゆえ、セットアップ放電により生成される背景光の輝度を減少させる。狭い内部電極は、さらに、不透明な金属製導体により阻止される光量を最小限に抑える。中間および外部電極は、金属製バス電極１４１０、またはマーコットによる米国特許６，４１１，０３５に見られるような開口部付き電極、のいずれかの透明型１４２０を備えたより幅の広い電極で組み立てられる。代表的には１００ないし２５０ミクロンのような、より幅の広い中間および外部透明電極は、広い画素領域を可能にし、高い電力レベル、それゆえ高い輝度が達成される。バス電極１４１０、１４０５、１４５５、１４６０の幅は、最小限に抑えられ、電極抵抗および製造能力の要件に合致するように、他方、できる限り光を阻止しないように、選ばれる。
【０１８６】
図３および９で示される波形と、図７および８の回路は、ここでは図２のＰＤＰとともに使用されるように説明される。しかしながら、図３および９、と図７および８の考え方は、同様に、図１、図４ないし６、図１０および１１のＰＤＰに適用可能である。
【０１８７】
本発明の別の実施の形態において、ＰＤＰ１４００は、制御可能な輝度を与えるように動作することが可能である。低次数のサブフィールドの電力および輝度は、サブフィールド維持期間内の各維持パルスで放電される画素領域を制限することにより、減少させることが可能である。低輝度サブフィールドに対して、内部画素領域は維持され、他方、高輝度サブフィールドに対して、画素領域全体が放電される。分割電極の数は、得られる輝度レベルの数を決定し、他方、個々の電極幅および間隔は、各レベルの輝度を決定する。
【０１８８】
図１５に関して、ＰＤＰ１４００を動作する波形群が与えられ、ＰＤＰ１４００は、図１２の回路を備え、維持放電を領域１４９３に封じ込める。この動作方法は、強度が低い維持放電が必要な場合、光出力を減少させるために望ましい。上昇する電圧は、分割電極群を横切って広がるように放電を引き起こすために必要であるから、このような上昇する電圧を省略すると、放電は広がらない。
【０１８９】
したがって、第１維持放電ｔ４２ないしｔ４５の間、外部走査電極スイッチ１２０３は、端子Ａ、すなわち走査生成部の出力を選択する。同時に、スイッチ１２０４は、端子Ｃ、すなわち浮動電圧Ｖ４を選択し、他方、維持生成部の出力は０ボルトにある。結果として、放電が広がる正電荷の列部分に必要な電圧Ｖｓ３は供給されず、それゆえ正電荷の列は、分割走査電極領域１４９３に封じ込められる。同様に、放電における負電荷の発光部分は、負電荷の発光が広がるように、中間維持電極１４０５に対して、外部維持電極１４１０上に負電圧を供給することが必要となる。ｔ４２ないしｔ４５の間、スイッチ１２０２が電圧Ｖ３を供給する状態では電圧は不十分であり、負電荷の発光が、領域１４９３の中間維持電極１４０５を越えて広がることはない。第２およびその後の放電とともに、各外部電極は、電圧Ｖｓを高い状態で、電圧Ｖ３を低い状態で供給し、放電は領域１４９３内に封じ込められる。
【０１９０】
同一の手順が、追加の中間走査および維持電極の複数対に適用され、変化可能な放電領域に基づいて輝度制御を与える。
【０１９１】
図１６は、極めて一般的な８サブフィールドＰＤＰのアドレス指定機能を実装したフレームタイミング図を示す。最近のＰＤＰディスプレイは、より多くのサブフィールドおよび異なる重み付けを用い、２５６以上のグレーレベルを達成する。特定の画素位置で２５６グレーレベルを達成するため、１つ以上のサブフィールドがアドレス指定され、所望の維持期間を活性化する。例えば、画素においてグレーレベル２０の輝度を得るため、画素は、サブフィールドＳＦ３およびＳＦ５において、アドレス指定され、維持される必要がある。
【０１９２】
ＳＦ３は、維持期間における４の相対比率を生成し、ＳＦ５は、維持期間における１６の相対比率を生成する。合計はそれゆえ２０となる。
【０１９３】
示されるように、各維持期間は、２乗で重み付けされているので、全８サブフィールドの合計は２５６レベルである。
【０１９４】
個々のサブフィールドの輝度は、従来は、維持パルスの数を制御することにより、実行されるだけであった。ＰＤＰが改善されるにつれて、放電ごとの輝度が増大し、この傾向は将来も続くであろう。放電ごとの輝度が増大するにつれて、任意の輝度に必要な維持放電の数は、減少する。さらに、電力減少の目論見は、電力消費を減少させるため、維持パルスの数を制限することを要件とする。これらの条件により、低次サブフィールドは、一維持サイクルよりも小さい輝度を必要とすることになる。したがって、単一放電の輝度を制御するため、新しい方法が必要である。
【０１９５】
図１４のＰＤＰ、および図１５の手順は、これら両方の条件に用立てることができる。例えば全輝度が４で割られる場合、各サブフィールドの重みは４で割られる必要がある。それゆえに、維持期間におけるＳＦ８の相対比率は、１２８から３２に減少する。ＳＦ１の相対輝度はＳＦ８の輝度の１/１２８でなければならず、％の相対割り当てを必要とし、ＳＦ２も％であり、ＳＦ３は１である。ＰＤＰの放電ごとの輝度が、２放電を含む単一維持サイクルで、必要以上の光を生成するような場合、わずかな領域が、より低輝度の光要求を実らせるのに用いられる。
【０１９６】
これらの分数の相対比率を有する領域１４９０、１４９３、および１４９５を達成することにより、領域１４９０の輝度は、領域１４９３の輝度の半分であり、領域１４９３の輝度は領域１４９５の輝度の半分であるように、必ず動作する。２つの方法が、この要件に合致するために役立つ。第１には、画素の中心領域において、末端よりも大きい光が生成されるという事実を考慮して、領域が選ばれる。それゆえ、領域１４９３は、領域１４９０の２倍よりも大きい。同様に、領域１４９５は、領域１４９３の２倍よりも大きい必要がある。第２には、中間および外部電極群に供給される電圧を選択するにあたって、より高い電圧がより大きな輝度の光を生成し、末端までより大きい電力を供給するように電圧Ｖｓ３およびＶｓ４を増大することにより、増大した光が外部領域で生成される。
【０１９７】
本発明に関して、種々の代替案および修正案が当業者により考案されるだろう。それにもかかわらず、本発明は、添付された請求項の範囲内に入るような代替案、修正案、および変化案を包含するように意図されている。
【産業上の利用可能性】
【０１９８】
本発明は、分割電極を備えたプラズマディスプレイに利用できる。
【図面の簡単な説明】
【０１９９】
【図１】本発明に従って構成される画素の一部分の説明図である。
【図２】分割電極で構成されるＰＤＰの一部分の説明図である。
【図３】図２の電極を駆動する電圧波形群のグラフである。
【図４】水平方向の電極配線に各端で短絡バーを備えた分割電極で構成されるＰＤＰの一部分の説明図である。
【図５】金属製バス電極で覆われた透明電極として電極が形成されるＰＤＰの実施の形態の説明図である。
【図６】副画素に３電極構成を備えたＰＤＰの一部分の説明図である。
【図７】図３の波形を生成する回路のブロック図である。
【図８】ＰＤＰの電極を制御する回路のブロック図である。
【図９】図８の回路により生成される電圧波形群のグラフである。
【図１０】本発明の別の実施の形態に従って構成される画素の図である。
【図１１】分割電極で構成されるＰＤＰの別の実施の形態における一部分の図である。
【図１２】図１１のＰＤＰの駆動に使用される回路のブロック図である。
【図１３】図１１の各電極に供給される波形の波形図である。
【図１４】分割電極で構成されるＰＤＰの別の実施の形態における一部分の図である。
【図１５】図１４の各電極に供給される波形の波形図である。
【図１６】代表的８サブフィールドＰＤＰのアドレス指定機能を実装したフレームタイミング図である。
【図１】
2007538291.tif 000003
【図２】
2007538291.tif 000004
【図３】
2007538291.tif 000005
【図４】
2007538291.tif 000006
【図５】
2007538291.tif 000007
【図６】
2007538291.tif 000008
【図７】
2007538291.tif 000009
【図８】
2007538291.tif 000010
【図９】
2007538291.tif 000011
【図１０】
2007538291.tif 000012
【図１１】
2007538291.tif 000013
【図１２】
2007538291.tif 000014
【図１３】
2007538291.tif 000015
【図１４】
2007538291.tif 000016
【図１５】
2007538291.tif 000017
【図１６】
2007538291.tif 000018
【国際調査報告】
2007538291.tif 000019
2007538291.tif 000020